(57)【要約】【課題】時計において、文字板の指標と環状部材の指標とが相対的に位置ずれしても、外観品質の低下を抑制する。【解決手段】腕時計１（時計の一例）は、中心Ｃ１から外側に向かう放射方向の仮想の線Ｌ上に第１インデックス３ｄが形成された文字板３と、文字板３の外周側に配置された状態で、線Ｌ上において第１インデックス３ｄと直列に並ぶ第２インデックス４ｄが形成された環状の見返しリング４と、を備え、文字板３の高さ方向Ｈに見た平面視において、第２インデックス４ｄの、少なくとも第１インデックス３ｄに近い側の端部の幅Ｗ２が、第１インデックス３ｄに近づくにしたがって広くなる幅広形状である台形の部分４ｆとして形成され、第２インデックス４ｄの台形の部分４ｆの端部の幅Ｗ３が、第１インデックス３ｄの、第２インデックス４ｄに近い側の端部の幅Ｗ１よりも広く形成されている。【選択図】図４
2018031669.tif 000002
【特許請求の範囲】
【請求項１】
中心から外側に向かう放射方向の線上に第１の指標が形成された文字板と、
前記文字板の外周側に配置された状態で、前記線上において前記第１の指標と直列に並ぶ第２の指標が形成された、環状又は環状の一部分を形成した環状部材と、を備え、
前記文字板の高さ方向に見た平面視において、前記第２の指標の、少なくとも前記第１の指標に近い側の端部の幅が、前記第１の指標に近づくにしたがって広くなる幅広形状に形成され、
前記第２の指標の、前記第１の指標に近い側の端部の幅が、前記第１の指標の、前記第２の指標に近い側の端部の幅よりも広く形成されている時計。
【請求項２】
前記第２の指標の、前記第１の指標から遠い側の端部の幅が、前記第１の指標の、前記第２の指標の近い側の端部の幅に対して、同じ寸法であるか又は狭い寸法である請求項１に記載の時計。
【請求項３】
前記第２の指標は、前記第１の指標に対して、前記高さ方向の上方に離れて配置され、
前記第１の指標と前記第２の指標とは前記平面視で重ならない配置である請求項１又は２に記載の時計。
【請求項４】
前記第１の指標は、前記高さ方向について平面状又は凸状に形成され、
前記第２の指標は、前記高さ方向について凹状に形成されている請求項１から３のうちいずれか１項に記載の時計。
【請求項５】
前記第２の指標は、前記平面視で前記放射方向に延びた矩形の部分と、前記幅広形状の部分とを有し、
前記環状部材は、前記文字板から前記高さ方向の上方に離れ、前記文字板の前記中心に向かって突出した庇状の庇部を有し、
前記庇部は、前記幅広形状の部分に対応した形状で切り欠かれている請求項４に記載の時計。
【請求項６】
前記第２の指標は、前記第１の指標よりも、前記放射方向に沿った長さが長く形成されている請求項１から５のうちいずれか１項に記載の時計。
【請求項７】
前記環状部材は、見返しリングである請求項１から６のうちいずれか１項に記載の時計。
【発明の詳細な説明】
【技術分野】
【０００１】
本発明は、時計に関する。
【背景技術】
【０００２】
時計は、時針や分針等の指針によって、目盛りを指し示すことで、時刻を表示する。目盛りとしては、１分（６０分間で１周する分針の１分に対応）間隔の位置に形成された細かい目盛りの他に、５分（１２時間で１周する時針の１時間に対応）間隔の位置に形成されたインデックス（以下、指標という。）もある。
【０００３】
指標は、文字板に形成されているものの他、文字板の外周部分又は文字板よりも外方の部分に設けられた見返しリング等の環状部材に形成されたものもある。さらに、文字板と環状部材の両方に形成されたものもある。指標が文字板と環状部材の両方に形成されているものは、文字板の指標と環状部材の指標とが、文字板の中心（指針の回転中心のこと）から放射方向に延びた線上で直列に並ぶように配置されていて、見る者に対して、デザイン面でインパクトを与える（例えば、特許文献１参照）。
【先行技術文献】
【特許文献】
【０００４】
【特許文献１】特開２００７−１２４０１１号公報
【発明の概要】
【発明が解決しようとする課題】
【０００５】
ところで、文字板と環状部材とは別体であるため、単一の時計として組み立てられた状態で、文字板と環状部材との間で相対的な位置のずれが生じることがある。例えば、文字板が時計のケースに固定され、その後、ケースに環状部材が配置された状態で、ケースに風防ガラスが固定されるが、風防ガラスとケースとの間には、防水のためのパッキンが配置されるのが一般的である。そして、風防ガラスがケースに固定されるとき、風防ガラスは、パッキンを弾性変形させながらケースに押し込まれ、このときの風防ガラスの動きやパッキンの動きにつられて、環状部材が予期せず微小に回転してしまうことがある。
【０００６】
すると、文字板の中心から放射方向に延びた線上で、本来は直列に並んで配置されるべき、文字板の指標と環状部材の指標とが相対的に、回転方向（周方向）に位置ずれする。また、仮に、環状部材に他の位置決めの構造を用いたとしても、環状部材自体や環状部材に形成する指標等の加工の精度によって、文字板の指標と環状部材の指標とが上述したように位置ずれすることもある。そして、文字板の指標と環状部材の指標とが相対的に位置ずれすると、外観品質の低下を招く。
【０００７】
本発明はこのような事情に鑑みなされたものであって、文字板の指標と環状部材の指標とが相対的に位置ずれしても、外観品質の低下を抑制することができる時計を提供することを目的とする。
【課題を解決するための手段】
【０００８】
本発明は、中心から外側に向かう放射方向の線上に第１の指標が形成された文字板と、前記文字板の外周側に配置された状態で、前記線上において前記第１の指標と直列に並ぶ前記第２の指標が形成された、環状又は環状の一部分を形成した環状部材と、を備え、前記文字板の高さ方向に見た平面視において、前記第２の指標の、前記第１の指標に近い側の端部の幅が、前記第１の指標に近づくにしたがって太くなる幅広形状に形成され、前記第２の指標の、前記第１の指標に近い側の端部の幅が、前記第１の指標の、前記第２の指標に近い側の端部の幅よりも広く形成されている時計である。
【発明の効果】
【０００９】
本発明に係る時計によれば、文字板の指標と環状部材の指標とが相対的に位置ずれしても、外観品質の低下を抑制することができる。
【図面の簡単な説明】
【００１０】
【図１】本発明に係る時計の一実施形態である腕時計を示す平面図である。
【図２】図１におけるＡ−Ａ線に沿った断面を示す断面図である。
【図３】見返しリングに形成された第２インデックスを示す斜視図である。
【図４】第１インデックスと第２インデックスとを示す平面図である。
【図５】第２インデックスが矩形の部分を備えず、第２インデックスの全体が、第１インデックスに近づくにしたがって幅が広くなる幅広形状である台形の部分で形成された変形例を示す、図４相当の平面図である。
【図６】第１インデックスが六角形状に形成された変形例を示す、図４相当の平面図である。
【発明を実施するための形態】
【００１１】
以下、本発明に係る時計の実施形態について、図面を参照して説明する。
＜時計の全体構成＞
図１は、本発明に係る時計の一実施形態である腕時計１を示す平面図、図２は、図１におけるＡ−Ａ線に沿った断面を示す断面図である。図示の腕時計１は、ケース２と、風防ガラス５と、ムーブメント６と、文字板３と、見返しリング４（環状部材の一例）と、指針８（時針８ａ及び分針８ｂ）と、を備えている。なお、腕時計１は、時刻を表示する機能とは別の機能のためにいわゆる小針も設けられているが、本発明とは直接的な関係が無いため、説明を省略する。
【００１２】
ケース２は、上部の環状部２ａと、上部の環状部２ａの下方に配置された下部の環状部２ｂと、下部の環状部２ｂに結合した裏蓋２ｃと、を備えている。そして、下部の環状部２ｂと裏蓋２ｃとで囲まれた空間に、ムーブメント６が配置されている。
【００１３】
＜文字板＞
文字板３は、ムーブメント６の上面に配置されている。見返しリング４は、１周が繋がって環状に形成されていて、文字板３の外周部分３ｂの上方の位置で、かつ上部の環状部２ａの内側に、文字板３の外周縁を覆って配置されている。風防ガラス５は、見返しリング４の上方の位置で、かつ上部の環状部２ａの内側に、防水用の弾性材料でできたパッキン７を介在させた状態で配置されている。パッキン７は、見返しリング４にも接触している。
【００１４】
文字板３は、その中心Ｃ１に、ムーブメント６から突出した回転軸６ａが貫通する中心孔３ａが形成されている。時刻を表示する指針８の時針８ａや分針８ｂは、回転軸６ａに固定されている。なお、中心Ｃ１は、本実施形態の腕時計１においては文字板３の幾何学的な中心に一致するが、指針８の回転中心であればよく、文字板３の幾何学的な中心である必要はない。時針８ａは１２時間で中心Ｃ１回りに１回転し、分針８ｂは６０分間で中心Ｃ１回りに１回転する。
【００１５】
文字板３には、中心Ｃ１回りの角度３０［度］ごとに、中心Ｃ１から外側に向かって延びた放射方向の仮想の線Ｌ上に、時刻を表示する（指針８が指し示す）指標である平面視で矩形のインデックス３ｄ（第１の指標の一例。以下、第１インデックス３ｄという。）が形成されている。時針８ａが各第１インデックス３ｄを指し示すときが、時刻の正時を表す。第１インデックス３ｄは、各正時に対応して１２個形成されている。なお、第１インデックス３ｄは、樹脂、金属又は鉱石（例えば、ダイヤモンドなどの貴石）などによって、文字板３の表面から風防ガラス５に向かって（高さ方向Ｈの上方に）突出した凸状に形成されている。
【００１６】
文字板３の、時刻の１２時の位置には、２つの第１インデックス３ｄ，３ｄが並んで配置されているが、時刻の１２時は、午前と午後とが切り替わる時刻であったり、日付が替わる時刻であったりするため、他の時刻とは異なる特別な意味を持った時刻である。したがって、文字板３上でもその特別な意味を表すために、他の時刻の表示とは区別して２つの第１インデックス３ｄ，３ｄが並んで配置され、時針８ａが２つの第１インデックス３ｄ，３ｄの中間を指し示したとき、時刻の１２時を表す。つまり、時刻の１２時においては、２つの第１インデックス３ｄ，３ｄによって、単一の第１インデックス３ｄの機能を果たしている。
【００１７】
＜見返しリング＞
見返しリング４は、環状に形成されていて、図２に示すように、内周面４ａは文字板３から上方に傾斜して立ち上がり、内周面４ａの上端には、内周面４ａよりも半径方向ｒの内側に向かって突出した庇部４ｃが形成されている。つまり庇部４ｃは、文字板３から高さ方向Ｈの上方に離れ、文字板３の中心Ｃ１に向かって突出し、突出した先端縁が内周縁４ｈとなっている。
【００１８】
なお、庇部４ｃは、文字板３の第１インデックス３ｄよりも高さ方向Ｈの上方に配置されていて、第１インデックス３ｄと庇部４ｃとは高さ方向Ｈにおいて離れている。見返しリング４の外周面４ｂは、ケース２のうちの上部の環状部２ａに対向している。外周面４ｂの上端は庇部４ｃよりも高さ方向Ｈにおいて高い位置に形成されている。見返しリング４の上面４ｇは、外周面４ｂの上端から略水平に形成された外周部分４ｍとその外周部分４ｍよりも半径方向ｒの内側で、庇部４ｃに向かって低くなるように傾斜して形成された内周部分４ｎとで構成されている。
【００１９】
見返しリング４には、中心Ｃ１から放射方向に延びた仮想の線Ｌ上において、文字板３の第１インデックス３ｄと直列に並ぶ、第２インデックス４ｄ（第２の指標の一例）が形成されている。第２インデックス４ｄは、文字板３に形成された１２個の第１インデックス３ｄにそれぞれに対応して形成されている。したがって、第２インデックス４ｄも１２個形成されている。各第２インデックス４ｄは、対応する第１インデックス３ｄに対して、仮想の線Ｌ上において、半径方向ｒ（図２参照）の外方側に配置されている。また、見返しリング４には、隣り合う２つの第２インデックス４ｄ，４ｄの間を周方向に沿って５等分（角度６［度］ごと）に分割する目盛りである第３インデックス４ｑが形成されている。第３インデックス４ｑは、例えば、印刷などによって形成されている。
【００２０】
図３は見返しリング４に形成された第２インデックス４ｄを示す斜視図であり、図４は第１インデックス３ｄと第２インデックス４ｄとを示す平面図である。第２インデックス４ｄは、図４に示すように、文字板３の高さ方向に見た平面視で、半径方向ｒの外側に位置する矩形の部分４ｅと半径方向ｒの内側に位置する台形の部分４ｆとで構成されている。矩形の部分４ｅは、仮想の線Ｌに沿った方向の寸法が線Ｌに直交する方向の寸法よりも長い矩形状に形成されている。台形の部分４ｆは、第１インデックス３ｄに近い側の端部側で、幅が、第１インデックス３ｄに近づくにしたがって広くなる幅広形状に形成されている。
【００２１】
第２インデックス４ｄは、図３に示すように、第１インデックス３ｄに対して、高さ方向Ｈの上方に離れて配置されている。また、第２インデックス４ｄは、図４に示すように、第１インデックス３ｄと平面視で重ならない配置となっている。
【００２２】
矩形の部分４ｅは、図３に示すように、見返しリング４の上面４ｇに対して凹んだ溝として内周部分４ｎに形成されていている。矩形の部分４ｅは、図４に示すように、文字板３の中心Ｃ１から放射方向に延びた仮想の線Ｌに平行に延びた２本の輪郭線４ｉ，４ｊ（以下、放射方向輪郭線４ｉ，４ｊという。）と、図４の平面視において内周面４ａの輪郭線が投影された線と、上面４ｇの外周部分４ｍと内周部分４ｎとの境界となる境界線４ｐと、で囲まれた矩形の部分である。
【００２３】
一方、台形の部分４ｆは、庇部４ｃに形成されていて、高さ方向Ｈに庇部４ｃを貫通して切り欠いた空間部分となっている。したがって、台形の部分４ｆも、見返しリング４の上面４ｇに対して凹んでいる。台形の部分４ｆは、図４の平面視において内周面４ａの輪郭線が投影された線が台形の上辺に相当し、図４の平面視において切り欠かれた空間部分まで庇部４ｃの内周縁４ｈを延長した線４ｓ（切り欠かれているため実際には存在しない線であり、仮想線（二点鎖線）で示す。）が台形の下辺に相当する。そして、台形の部分４ｆは、第１インデックス３ｄに近づくにしたがって幅（放射方向に直交する方向に沿った寸法）が広くなるように、放射方向の仮想の線Ｌに対して傾斜した２つの輪郭線４ｒ，４ｒが、台形の２つの斜辺（上辺の端と下辺の端とをそれぞれ接続した辺）に相当する。
【００２４】
ここで、図４に示すように、第２インデックス４ｄは、第１インデックス３ｄから遠い側である矩形の部分４ｅは幅Ｗ２で一定である。したがって、矩形の部分４ｅの、外周側の端部の幅も内周側の端部の幅（台形の部分４ｆの上辺の長さに相当）も幅Ｗ２である。一方、第２インデックス４ｄは、第１インデックス３ｄに近い側である台形の部分４ｆの、第１インデックス３ｄに近い側の端部、すなわち、台形の部分４ｆの下辺に相当する部分（庇部４ｃの仮想の線４ｓ）の幅は、上辺に相当する部分の長さＷ２よりも長い幅Ｗ３（＞Ｗ２）である。
【００２５】
一方、第１インデックス３ｄは、第２インデックス４ｄに近い側の端部における、放射方向の仮想の線Ｌに平行に延びた２本の輪郭線３ｉ，３ｊ（以下、放射方向輪郭線３ｉ，３ｊという。）間の寸法である幅と第２インデックス４ｄに遠い側の端部の幅は同じで、いずれも幅Ｗ１である。この第１インデックス３ｄの幅Ｗ１は、第２インデックス４ｄの矩形の部分４ｅの幅Ｗ２と略同じであるが、幅Ｗ１はわずかに幅Ｗ２よりも広い（Ｗ２＜Ｗ１）。つまり、第２インデックス４ｄの矩形の部分４ｅの幅Ｗ２は、第１インデックス３ｄの幅Ｗ１よりもわずかに狭い。
【００２６】
そして、第２インデックス４ｄの、第１インデックス３ｄに近い側の端部、すなわち台形の部分４ｆの下辺に相当する部分の幅Ｗ３は、第１インデックス３ｄの、第２インデックス４ｄに近い側の端部の幅Ｗ１よりも広く形成されている（Ｗ１＜Ｗ３）。また、第２インデックス４ｄは、第１インデックス３ｄよりも、放射方向に沿った長さが長く形成されている。
【００２７】
＜作用＞
以上のように構成された実施形態の腕時計１によれば、文字板３の第１インデックス３ｄと見返しリング４の第２インデックス４ｄとの間で相対的な位置ずれがあった場合、すなわち第１インデックス３ｄと第２インデックス４ｄとが、中心Ｃ１回りの周方向に相対的に位置ずれしていても、その位置ずれを目立たなくさせることができる。
【００２８】
具体的には、腕時計１を見た観者が、第１インデックス３ｄと第２インデックス４ｄとが中心Ｃ１回りの周方向に相対的に位置ずれしていることを認識するのは、１つの仮想の線Ｌ上に位置する２つのインデックス３ｄ，４ｄについて、図４に示すように、第１インデックス３ｄにおける放射方向輪郭線３ｉと第２インデックス４ｄにおける放射方向輪郭線４ｉとの周方向のずれ又は第１インデックス３ｄにおける放射方向輪郭線３ｊと第２インデックス４ｄにおける放射方向輪郭線４ｊとの周方向のずれを認識した場合である。
【００２９】
これに対して、本実施形態の腕時計１は、放射方向輪郭線３ｉと放射方向輪郭線４ｉとの間に、放射方向輪郭線３ｉ及び放射方向輪郭線４ｉの延びた方向（仮想の線Ｌの延びた方向）に対して傾斜した輪郭線４ｒ，４ｒが存在する。このため、観者は、文字板３の第１インデックス３ｄの放射方向輪郭線３ｉを延長した線と、見返しリング４の第２インデックス４ｄの放射方向輪郭線４ｉを延長した線との周方向のずれ量を見極めにくく、同じく、文字板３の第１インデックス３ｄの放射方向輪郭線３ｊを延長した線と、見返しリング４の第２インデックス４ｄの放射方向輪郭線４ｊを延長した線との周方向のずれ量を見極めにくい。
【００３０】
このため、観者は、両インデックス３ｄ，４ｄの両側縁（放射方向輪郭線３ｉ，４ｉと放射方向輪郭線３ｊ，４ｊ）のずれ量が等しいか否かを見極めにくい。したがって、両インデックス３ｄ，４ｄの両側縁のずれ量が等しくない場合に、第１インデックス３ｄと第２インデックス４ｄとが位置ずれしていると認識する観者に対して、実施形態の腕時計１は、この位置ずれを目立たなくすることができる。これにより、位置ずれによる外観品質の低下を抑制することができる。
【００３１】
しかも、本実施形態の腕時計１は、第２インデックス４ｄの台形の部分４ｆの下辺に相当する部分の幅Ｗ３が、第１インデックス３ｄの、第２インデックス４ｄに近い側の端部の幅Ｗ１よりも広く形成されている（Ｗ１＜Ｗ３）ため、第１インデックス３ｄの幅Ｗ１と第２インデックス４ｄの矩形の部分４ｅの幅Ｗ２との大小関係（等しい寸法であるか、いずれか一方が大きいのか）を観者に認識させにくくする効果があり、この観点から上述した位置ずれを一層目立たなくすることができる。
【００３２】
本実施形態の腕時計１は、文字板３とムーブメント６との間での位置ずれはほとんどなく、文字板３と見返しリング４との間での位置ずれは起こり得る。この場合、指針８と第１インデックス３ｄとの間で位置ずれは起こり難いが、これよりも指針８と第２インデックス４ｄとの間で位置ずれは起こり易い。そして、本実施形態の腕時計１は、第２インデックス４ｄの、第１インデックス３ｄに近い側の端部が幅広形状で形成されているため、第２インデックス４ｄが周方向に位置ずれしていても、指針８の先端が指し示す方向が、幅広形状である台形の部分４ｆの幅Ｗ３の範囲に入り、指針８に対する第２インデックス４ｄの位置ずれを目立ちにくくすることができる。
【００３３】
また、本実施形態の腕時計１は、第２インデックス４ｄの矩形の部分４ｅの幅Ｗ２は、第１インデックス３ｄの幅Ｗ１よりも狭い。このため、第１インデックス３ｄの両側縁（放射方向輪郭線３ｉ，３ｊ）を仮想的に延長しても、その延長線は、第２インデックス４ｄの傾斜した輪郭線４ｒ，４ｒに交差する。
【００３４】
一方、仮に、第２インデックス４ｄの矩形の部分４ｅの幅Ｗ２が、第１インデックス３ｄの幅Ｗ１よりもわずかに広い場合は、第１インデックス３ｄの両側縁（放射方向輪郭線３ｉ，３ｊ）を仮想的に延長すると、その延長線は、第２インデックス４ｄの傾斜した輪郭線４ｒ，４ｒに交差しないため、観者は、第２インデックス４ｄの矩形の部分４ｅの両側縁（放射方向輪郭線４ｉ，４ｊ）と平行に延びた状態を仮想し易くなる。この場合、図４に示した、第２インデックス４ｄの矩形の部分４ｅの幅Ｗ２が、第１インデックス３ｄの幅Ｗ１よりもわずかに狭い場合と比較すると、観者は、２組の平行線（放射方向輪郭線３ｉと放射方向輪郭線４ｉの組、放射方向輪郭線３ｊと放射方向輪郭線４ｊの組）における平行線間の間隔の差を認識し易い。
【００３５】
このような場合であっても、第２インデックス４ｄの矩形の部分と第１インデックス３ｄとの間に、台形の部分４ｆがあるため、第１インデックス３ｄと第２インデックス４ｄとの位置ずれを目立たなくするという一定の効果を有する。すなわち、放射方向輪郭線３ｉと放射方向輪郭線４ｉとの間隔は、これらの間にある台形の部分４ｆによって離間するため、放射方向輪郭線３ｉと放射方向輪郭線４ｉとの比較が妨げられる。さらに、台形の部分４ｆを構成する輪郭線は、放射方向輪郭線３ｉと放射方向輪郭線４ｉとは平行ではないため、台形の部分４ｆと放射方向輪郭線３ｉ又は放射方向輪郭線４ｉとの位置ずれが認識されにくい。放射方向輪郭線３ｊ及び放射方向輪郭線４ｊと台形の部分４ｆとの関係も同様である。
【００３６】
上述したように、本実施形態の腕時計１は、第１インデックス３ｄの放射方向輪郭線３ｉ，３ｊの延長線は、第２インデックス４ｄの傾斜した輪郭線４ｒ，４ｒに交差するため、第２インデックス４ｄの矩形の部分４ｅの放射方向輪郭線４ｉ，４ｊまで延びた状態を仮想しにくくなり、この観点から上述した位置ずれをさらに目立たなくすることができる。
【００３７】
仮に、第２インデックス４ｄの矩形の部分の幅がＷ２のままで、台形の部分４ｆの幅Ｗ３だけを第１インデックス３ｄの幅Ｗ１と同じか、又は第１インデックス３ｄの幅Ｗ１よりも狭くして下辺の方が短かい台形とした場合には、上述した位置ずれが目立ちやすくなる。すなわち、台形の部分４ｆの幅Ｗ３をこのような幅に設定した場合、台形の部分４ｆにおける輪郭線４ｒ，４ｒが、中心Ｃ１に近づくにしたがって、幅方向の中心に近づくように傾斜する。このように下辺が上辺よりも短い台形は、矢印マークの先端部分に類似した先細りの形状となる。したがって、上述した位置ずれが生じた場合に、先細りの形状である台形の部分４ｆが、第１インデックス３ｄの幅方向の中心からずれた部分を指し示した状態となり、位置ずれが生じていると認識され易い。
【００３８】
また、図１に示すように、１２時の位置に対応したインデックス（第１インデックス３ｄ'、第２インデックス４ｄ'）は、他の正時の位置に対応したインデックス（第１インデックス３ｄ、第２インデックス４ｄ）とは細部の構成が異なるだけであり、他の正時の位置に対応したインデックスと同様な構成であって同様な効果を発揮する。
【００３９】
ここで、文字板３の１２時の位置の第１インデックス３ｄ′は、２つの第１インデックス３ｄ，３ｄが、放射方向の仮想の線Ｌに直交する方向に沿って並んだインデックスと捉えることもできるが、幅が第１インデックス３ｄの２倍以上の１つの大きな矩形のインデックスで、幅の中央部分に凹状の切り込み３ｚが形成された１つの大きな第１インデックス３ｄ′と捉えることができる。
【００４０】
同様に、見返しリング４の１２時の位置の第２インデックス４ｄ′は、幅が第２インデックス４ｄの２倍以上の１つの大きなインデックスで、幅の中央部分に凸状の条４ｚが形成された１つの大きな第２インデックス４ｄ′と捉えることができる。
【００４１】
このように捉えられた第１インデックス３ｄ′及び第２インデックス４ｄ′は、他の正時の位置に対応したインデックスと同様な構成ということができる。すなわち、第１インデックス３ｄ′は、文字板３の表面から風防ガラス５に向かって凸状に形成されている。一方、見返しリング４の１２時の位置の第２インデックス４ｄ′は、矩形の部分が幅の中央部分の条を除いて、見返しリング４の上面４ｇに対して凹状の溝として形成され、台形の部分が庇部４ｃを高さ方向Ｈに貫通して切り欠いた空間部分となっている。そして、第２インデックス４ｄ′における台形の部分の下辺の幅が、第１インデックス３ｄ′の幅よりも広く、第２インデックス４ｄ′における矩形の部分の幅が、第１インデックス３ｄ′の幅よりも狭くなっている。
【００４２】
したがって、第１インデックス３ｄ′は、幅方向の中央部の切り込み３ｚが形成されている点で、他の正時の位置の第１インデックス３ｄとは異なり、第２インデックス４ｄ′は、幅方向の中央部の条４ｚが形成されている点で、他の正時の位置の第２インデックス４ｄとは異なるが、これらの相違があっても、他の正時の位置のインデックス（第１インデックス３ｄ、第２インデックス４ｄ）と共通した構成によって、文字板３の第１インデックス３ｄ′と見返しリング４の第２インデックス４ｄ′との周方向における位置ずれを目立たなくさせる効果を発揮する。もちろん、１２時の位置のインデックス（第１インデックス３ｄ′、第２インデックス４ｄ′）を、他の正時の位置のインデックス（第１インデックス３ｄ、第２インデックス４ｄ）と全く同一の構成としてもよい。
【００４３】
なお、本発明に係る時計は、第２インデックス４ｄの、第１インデックス３ｄから遠い側の端部の幅Ｗ２が、第１インデックス３ｄの、第２インデックス４ｄの近い側の端部の幅Ｗ１に対して狭い寸法でなくてもよく、第２インデックス４ｄの幅Ｗ２が第１インデックス３ｄの幅Ｗ１と同じ寸法であってもよいし、第１インデックス３ｄの幅Ｗ１よりも広い寸法であってもよい。
【００４４】
また、本実施形態の腕時計１は、図２，３に示すように、第２インデックス４ｄは第１インデックス３ｄに対して高さ方向Ｈの上方に離れて配置され、しかも、図４に示すように、第１インデックス３ｄと第２インデックス４ｄとは平面視で重ならない配置であるため、図３に示すように文字板３に対する斜め方向の視線で見たとき、両インデックス３ｄ，４ｄが空間的に位置ずれしたように錯覚するため、第１インデックス３ｄと第２インデックス４ｄとが周方向に位置ずれしていても、その位置ずれをさらに目立たなくすることできる。
【００４５】
なお、本発明に係る時計は、第２インデックス４ｄが第１インデックス３ｄに対して高さ方向Ｈの上方に離れて配置されたものでなくてもよく、第１インデックス３ｄと第２インデックス４ｄとが同じ高さ位置に形成されていてもよい。また、本発明に係る時計は、第１インデックス３ｄと第２インデックス４ｄとが図４に示す平面視で重ならない配置でなくてもよい。すなわち、本発明に係る時計は、第１インデックス３ｄと第２インデックス４ｄとが平面視で一部が重なる配置であってもよい。ただし、第１インデックス３ｄが平面視で重なるのは、第２インデックス４ｄの台形の部分４ｆに限り、矩形の部分４ｅには重ならないことを要する。
【００４６】
また、本実施形態の腕時計１は、図２，３に示すように、第１インデックス３ｄは、高さ方向Ｈについて凸状に形成され、第２インデックス４ｄは、高さ方向Ｈについて凹状に形成されているため、図３に示すように文字板３に対する斜め方向の視線で見たとき、各インデックス３ｄ，４ｄの側面が視認されて、それぞれのインデックス３ｄ，４ｄの平面視における放射方向輪郭線３ｊ，３ｊ，４ｉ，４ｊを特定しにくくなる。したがって、第１インデックス３ｄと第２インデックス４ｄとが周方向に位置ずれしていても、その位置ずれをさらに目立たなくすることできる。
【００４７】
しかも、凸状の第１インデックス３ｄにおける放射方向輪郭線３ｊ，３ｊと、凹状の第２インデックス４ｄにおける放射方向輪郭線４ｉ，４ｊとでは、斜め方向の視線で見たときの見え方に大きさ差があるため、凸状と凹状という組み合わせによって、その位置ずれを一層目立たなくすることできる。
【００４８】
なお、本発明に係る時計は、第１インデックス３ｄが文字板３の表面に対して高さ方向Ｈについて凸状でなくてもよく、例えば印刷や転写プリントによって文字板３の表面と同じ高さに形成されたものであってもよい。同様に、本発明に係る時計は、第２インデックス４ｄが見返しリング４の上面４ｇに対して高さ方向Ｈについて凹状でなくてもよく、例えば印刷や転写プリントによって見返しリング４の上面４ｇと同じ高さに形成されたものであってもよいし、第１インデックス３ｄと同様に上面４ｇから高さ方向Ｈについて凸状であってもよい。第１インデックス３ｄと第２インデックス４ｄとの両方を平面状とするのではなく、少なくとも一方を立体的な形状（凸状）とするのが好ましい。
【００４９】
また、本実施形態の腕時計１は、図２，３に示すように、見返しリング４が文字板３から高さ方向Ｈの上方に離れた文字板３の中心Ｃ１に向かって突出した庇状の庇部４ｃを有しているため、風防ガラス５を通して入射する光により、庇部４ｃによる影が文字板３上に形成される。これにより、その影が、腕時計１の外観上の文字板３に立体感を与えることができる。しかも、庇部４ｃは、第２インデックス４ｄにおける台形の部分４ｆに対応した形状で切り欠かれているため、第１インデックス３ｄの一部（特に外周部分）が庇部４ｃが文字板３上に形成する影で覆われることがないため、第１インデックス３ｄをすっきりした印象で視認させることができ、外観品質を向上させることができる。
【００５０】
なお、本発明に係る時計は、庇部４ｃが、第２インデックス４ｄの台形の部分４ｆに対応した形状で切り欠かれているものでなくてもよい。また、本発明に係る時計は、見返しリング４が庇部４ｃを有しないものであってもよい。この場合、例えば、庇部４ｃの裏面を、高さ方向Ｈの下方（文字板３の表面に近づく方向）に、文字板３の表面まで伸ばした形状（庇部４ｃが実質的に庇を形成しない構造）としてもよいし、内周面４ａを上面４ｇまで上方に伸ばして庇部４ｃを除去した形状としてもよい。庇部４ｃを除去した形状の場合は、第２インデックス４ｄの矩形の部分４ｅのうち、第１インデックス３ｄに近い側の端部に、台形の部分４ｆを形成すればよい。
【００５１】
また、本発明に係る時計は、第２インデックス４ｄが矩形の部分４ｅと台形の部分４ｆとを有するものでなくてもよい。図５は、第２インデックス４ｄが矩形の部分４ｅを備えず、第２インデックス４ｄの全体が、第１インデックス３ｄに近づくにしたがって幅が広くなる幅広形状である台形の部分で形成された変形例を示す、図４相当の平面図である。本発明に係る時計は、図５に示すように、第２インデックス４ｄの全体が台形の部分で形成されたものであってもよい。図５の例は、台形の上辺に対応する部分の幅Ｗ４が、例えば図４に示した矩形の部分４ｅの幅Ｗ２と同じであり、かつ台形の下辺に対応する部分の幅Ｗ５が、例えば図４に示した台形の部分４ｆの幅Ｗ３と同じである。
【００５２】
同様に、本発明に係る時計は、第１インデックス３ｄが矩形のものでなくてもよい。図６は、第１インデックス３ｄが六角形状に形成された変形例を示す、図４相当の平面図である。本発明に係る時計は、図６に示すように、第１インデックス３ｄの全体が矩形以外の台形や多角形や円形、星形などで形成されたものであってもよい。この場合、放射方向の仮想の線Ｌに直交する方向に沿った最大の寸法を、第１インデックス３ｄの幅Ｗ１とする。
【００５３】
また、本実施形態の腕時計１は、第１インデックス３ｄと第２インデックス４ｄとの周方向の位置ずれが目立ちにくいという効果により、第２インデックス４ｄを第１インデックス３ｄよりも放射方向の線Ｌに沿って長く形成したデザインを適用することができる。そして、このように、第２インデックス４ｄを第１インデックス３ｄよりも長く形成したデザインにより、第１インデックス３ｄと第２インデックス４ｄとが直列に並んで長いインデックスを形成することができ、インデックスを目立たせた印象を与えることができる。
【００５４】
なお、本発明に係る時計は、第２インデックス４ｄの放射方向の線Ｌに沿った長さを、第１インデックス３ｄよりも長く形成したものに限定するものではなく、第２インデックス４ｄの放射方向の線Ｌに沿った長さを、第１インデックス３ｄよりも短く形成したものや、第１インデックス３ｄの長さと等しくしたものであってもよい。
【００５５】
また、本実施形態の腕時計１は、第２インデックス４ｄを見返しリング４に形成したことにより、ベゼルなどを持たない一般的な腕時計においても、上述した本実施形態による効果を発揮させることができる。
【００５６】
なお、本発明に係る時計は、環状部材として、実施形態の腕時計１における見返しリング４に限定するものではなく、見返しリング４を備えない時計にあっては、環状部材としてベゼルやケース２を適用することもできる。この場合、本発明に係る時計は、ベゼルやケース２に第２インデックス４ｄを形成すればよい。特に、クリック機構を有するタイプで回転操作ができるベゼルがケースに取り付けられ、文字板のインデックスにベゼルのインデックスが対応する位置でベゼルを回転停止させる時計に有効である。このような時計は、回転機構を構成する部品点数が多くなるため、部品の公差の集積による影響を受けやすくなる。したがって、ベゼルの回転を停止させる位置が正確に定まり難く、文字板のインデックスに対してベゼルのインデックスが位置ずれし易いためである。
【００５７】
また、本発明に係る時計における環状部材は、１周が完全に繋がって環状に形成されたものでなくてもよく、環状のうち１周の一部が切り欠かれたものや、一部だけで形成されたものも環状部材として適用することができる。要するに、本発明に係る時計における環状部材は、文字板の外周部分又は文字板の半径方向の外方に、少なくとも第１の目盛りに直列に並んで配置される部材であればよく、１周が繋がっていなくてもよい。
【００５８】
本実施形態の腕時計１における第２インデックス４ｄは、幅広形状を台形の部分４ｆで構成したが、本発明に係る時計における幅広形状は、台形形状に限定されない。すなわち台形の部分４ｆは、台形の斜辺の相当する２本の輪郭線４ｒ，４ｒが直線であるが、幅広形状となる２本の線は、第１インデックス３ｄに向けて凸や凹となる円弧等の曲線であってもよい。なお、これら２本の線は、仮想の線Ｌに対して対称であってもよいし、非対称であってもよい。２本の線が非対称のものは対称のものに比べて、第１インデックス３ｄと第２インデックス４ｄとの位置ずれを目立たなくすることができるが、不安定な印象を与える場合がある。
【００５９】
また、本発明における指標（第１の指標及び第２の指標）は、腕時計１のように全ての正時に対応したインデックス（第１インデックス３ｄ、第２インデックス４ｄ）に適用する必要はなく、目立ちやすい一部のインデックス（例えば、１２時、３時、６時、９時の正時に対応したインデックス）だけに適用してもよい。
【００６０】
また、位置ずれが発生し易い一部のインデックスだけに適用することもできる。つまり、見返しリング４が腕時計１のケース２にセットされる際に、例えば見返しリング４の１２時の位置を基準にセットし（見返しリング４の１２時の位置をケース２の所定位置（１２時に対応した位置）に合致させてセットし）、１２時の位置の、中心Ｃ１を挟んで対角となる６時の位置で位置ずれが発生し易くなる場合、少なくとも６時の位置のインデックスについて本発明を適用すればよい。
【００６１】
本実施形態は、本発明に係る時計の一例として腕時計に適用したものであるが、本発明に係る時計は腕時計に限定されるものではなく、懐中時計等の携帯用時計や、携帯用ではない他の種類の時計にも適用することができる。
【符号の説明】
【００６２】
１    腕時計
３    文字板
３ｄ  第１インデックス
４    見返しリング
４ｃ  庇部
４ｄ  第２インデックス
４ｅ  矩形の部分
４ｆ  台形の部分
Ｃ１  中心
Ｈ    高さ方向
ｒ    半径方向
Ｌ    仮想の線
【図１】
2018031669.tif 000003
【図２】
2018031669.tif 000004
【図３】
2018031669.tif 000005
【図４】
2018031669.tif 000006
【図５】
2018031669.tif 000007
【図６】
2018031669.tif 000008